(57)【要約】【課題】電線を予め定められた経路に沿って保持する配線具を備えるワイヤハーネスにおいて、運搬及び保管の段階における電線及びコネクタの保護と、敷設の段階におけるコネクタの容易な操作性とを、少ない部品点数で、かつ、簡易な作業により実現できること。【解決手段】ワイヤハーネス３は、板状の部材が加工されることにより得られる配線具１を備える。配線具１は、電線を支持する板状の基部１０Ａと、基部１０Ａとの境界線に沿って他の部分よりも引き裂きやすく構成された引き裂き部位１０１，２２１を介して基部１０Ａと繋がって形成されたコネクタ用切り離し部１０Ｂ及びカバー用切り離し部２０とを有する。コネクタ用切り離し部１０Ｂには、基部１０Ａからその外側へはみ出した電線９のコネクタ９１を支持する外側コネクタ支持部１８が形成されている。カバー用切り離し部２０は、基部１０Ａ及びコネクタ用切り離し部１０Ｂを覆う。【選択図】図９
2012239354.tif 000002
【特許請求の範囲】
【請求項１】
板状の部材が加工されることにより得られる部材からなり、電線を予め定められた経路に沿う状態に保持する配線具であって、
一方の面において前記電線が配置される板状の基部と、
前記基部との境界線に沿って他の部分よりも引き裂きやすく構成された第１の引き裂き部位を介して前記基部と繋がって形成され、前記電線の端部のコネクタを支持する第１のコネクタ支持部が形成された第１の切り離し部と、を有することを特徴とする配線具。
【請求項２】
前記基部との境界線に沿って他の部分よりも引き裂きやすく構成された第２の引き裂き部位を介して前記基部と繋がって形成され、その一部が曲げられることにより前記基部における前記電線が配置される側の面及び前記第１の切り離し部における前記コネクタを支持する側の面を覆う板状の第２の切り離し部をさらに有する請求項１に記載の配線具。
【請求項３】
前記第１の切り離し部と繋がって形成され、その一部が曲げられることにより前記基部における前記電線が配置される側の面及び前記第１の切り離し部における前記コネクタを支持する側の面を覆う板状の第２の切り離し部をさらに有する請求項１に記載の配線具。
【請求項４】
前記第２の切り離し部が、
一方の面において前記電線が配置される板状の基部兼用カバー部と、
前記基部兼用カバー部との境界線に沿って他の部分よりも引き裂きやすく構成された第３の引き裂き部位を介して前記基部兼用カバー部と繋がって形成され、前記電線の端部のコネクタを支持する第２のコネクタ支持部が形成された第３の切り離し部と、を含む、請求項２又は請求項３に記載の配線具。
【請求項５】
前記第１切り離し部及び前記第２切り離し部のうちの一方においてその一部である根元部以外は他の部分から分離して形成され、前記根元部で折り曲げて起立させることが可能な部分である起立部と、
前記第１切り離し部及び前記第２切り離し部のうちの他方に形成され、前記第１切り離し部及び前記第２切り離し部が対向する状態において前記起立部の一部が挿入される貫通孔と、をさらに有し、
前記起立部の一部に形成され前記貫通孔の縁部に引っ掛かる掛かり部と前記貫通孔の縁部とが、前記貫通孔に挿入された前記起立部が前記貫通孔から抜けることを妨げる抜け止め機構を構成する、請求項２から請求項４のいずれかに記載の配線具。
【請求項６】
電線と、
板状の部材が加工されることにより得られる部材からなり、前記電線を予め定められた経路に沿う状態に保持する配線具と、を備えたワイヤハーネスであって、
前記配線具は、
一方の面に配置された前記電線を支持する板状の基部と、
前記基部との境界線に沿って他の部分よりも引き裂きやすく構成された第１の引き裂き部位を介して前記基部と繋がって形成され、前記基部からその外側へはみ出した前記電線の端部のコネクタを支持する第１のコネクタ支持部が形成された第１の切り離し部と、を有することを特徴とするワイヤハーネス。
【請求項７】
前記配線具が、
前記基部との境界線に沿って他の部分よりも引き裂きやすく構成された第２の引き裂き部位を介して前記基部と繋がって形成され、その一部が曲げられた状態で前記基部における前記電線を支持する側の面及び前記第１の切り離し部における前記コネクタを支持する側の面を覆う板状の第２の切り離し部をさらに有する、請求項６に記載のワイヤハーネス。
【請求項８】
前記配線具が、
前記第１の切り離し部と繋がって形成され、その一部が曲げられることにより前記基部における前記電線が配置される側の面及び前記第１の切り離し部における前記コネクタを支持する側の面を覆う板状の第２の切り離し部をさらに有する請求項６に記載のワイヤハーネス。
【請求項９】
前記配線具の前記第２の切り離し部が、
一方の面に配置された前記電線を支持する板状の基部兼用カバー部と、
前記基部兼用カバー部との境界線に沿って他の部分よりも引き裂きやすく構成された第３の引き裂き部位を介して前記基部兼用カバー部と繋がって形成され、前記基部兼用カバー部からその外側へはみ出した前記電線の端部のコネクタを支持する第２のコネクタ支持部が形成された第３の切り離し部と、を含む、請求項７又は請求項８に記載のワイヤハーネス。
【発明の詳細な説明】
【技術分野】
【０００１】
本発明は、電線を予め定められた経路に沿う状態で保持する配線具及びそれを備えたワイヤハーネスに関する。
【背景技術】
【０００２】
自動車などの車両に搭載されるワイヤハーネスは、電線に取り付けられた樹脂製の配線具を備え、電線がその配線具によって予め定められた経路に沿って保持された状態で敷設されることが多い。例えば、従来の一般的なワイヤハーネスにおいて、電線は、粘着テープ又はベルト部材などの結束材によって板状又は棒状の樹脂部材に固定される。
【０００３】
また、特許文献１に示されるワイヤハーネスは、電線束を挟み込む状態で熱プレスによって固着された２つの樹脂部材からなる配線具を備える。特許文献１に示されるワイヤハーネスにおいて、電線は、配線具とは別個の結束材によって２つの樹脂部材の一方に固定され、熱プレスにより固着された２つの樹脂部材によって保護される。
【０００４】
また、ワイヤハーネスにおいて、電線の端部のコネクタは、他のコネクタと接続される際に手に持って操作しやすいように、配線具から外側へはみ出した状態となっている。
【先行技術文献】
【特許文献】
【０００５】
【特許文献１】特開２０１０−２７２４２号公報
【発明の概要】
【発明が解決しようとする課題】
【０００６】
しかしながら、従来のワイヤハーネスは、車両内などの目的の場所に敷設される前の運搬及び保管の段階において、配線具からはみ出たコネクタが、周囲の物と衝突する、或いは周囲の物に引っ掛かることにより、コネクタを含む電線又は周囲の物の損傷が生じやすいという問題点を有している。
【０００７】
一方、配線具からはみ出たコネクタ各々に対して袋状の緩衝部材などの保護部材を取り付けることも考えられる。この場合、配線具からはみ出たコネクタ各々に対応する多数の保護部材が必要となり、さらに、コネクタごとに保護部材を取り付け及び取り外しする作業は、非常に煩雑である。
【０００８】
本発明は、電線を予め定められた経路に沿って保持する配線具を備えるワイヤハーネスにおいて、運搬及び保管の段階における電線及びコネクタの保護と、敷設の段階におけるコネクタの容易な操作性とを、少ない部品点数で、かつ、簡易な作業により実現できることを目的とする。
【課題を解決するための手段】
【０００９】
本発明に係る配線具は、板状の部材が加工されることにより得られる部材からなり、電線を予め定められた経路に沿う状態に保持する用具であり、以下の各構成要素を備える。
（１）第１の構成要素は、一方の面において電線が配置される板状の基部である。
（２）第２の構成要素は、基部との境界線に沿って他の部分よりも引き裂きやすく構成された第１の引き裂き部位を介して基部と繋がって形成され、電線の端部のコネクタを支持する第１のコネクタ支持部が形成された第１の切り離し部である。
【００１０】
また、本発明に係る配線具が、さらに以下に示される第３の構成要素又は第４の構成要素を備えることも考えられる。
（３）第３の構成要素は、基部との境界線に沿って他の部分よりも引き裂きやすく構成された第２の引き裂き部位を介して基部と繋がって形成され、その一部が曲げられることにより基部における電線が配置される側の面及び第１の切り離し部におけるコネクタを支持する側の面を覆う板状の第２の切り離し部である。
（４）第４の構成要素は、第１の切り離し部と繋がって形成され、その一部が曲げられることにより基部における電線が配置される側の面及び第１の切り離し部におけるコネクタを支持する側の面を覆う板状の第２の切り離し部である。
【００１１】
また、本発明に係る配線具において、第２の切り離し部が、以下の各構成要素を備えることが考えられる。第２の切り離し部の第１の構成要素は、一方の面において前記電線が配置される板状の基部兼用カバー部である。第２の切り離し部の第２の構成要素は、基部兼用カバー部との境界線に沿って他の部分よりも引き裂きやすく構成された第３の引き裂き部位を介して基部兼用カバー部と繋がって形成され、電線の端部のコネクタを支持する第２のコネクタ支持部が形成された第３の切り離し部である。
【００１２】
また、本発明に係る配線具が、さらに以下の構成要素を備えることも考えられる。
（５）第５の構成要素は、第１切り離し部及び第２切り離し部のうちの一方においてその一部である根元部以外は他の部分から分離して形成され、根元部で折り曲げて起立させることが可能な部分である起立部である。
（６）第６の構成要素は、第１切り離し部及び第２切り離し部のうちの他方に形成され、第１切り離し部及び第２切り離し部が対向する状態において起立部の一部が挿入される貫通孔である。そして、起立部の一部に形成され貫通孔の縁部に引っ掛かる掛かり部と貫通孔の縁部とが、貫通孔に挿入された起立部が貫通孔から抜けることを妨げる抜け止め機構を構成する。
【００１３】
また、本発明は、以上に示した本発明に係る配線具を備えたワイヤハーネスの発明として捉えられてもよい。即ち、本発明に係るワイヤハーネスは、電線と、本発明に係る配線具とを備える。本発明に係るワイヤハーネスにおいて、配線具の基部は、一方の面に配置された電線を支持し、配線具の第１の切り離し部における第１のコネクタ支持部は、基部からその外側へはみ出した電線の端部のコネクタを支持する。
【００１４】
また、本発明に係るワイヤハーネスにおいて、配線具が第２の切り離し部を有する場合、その第２の切り離し部は、その一部が曲げられた状態で基部における電線を支持する側の面及び第１の切り離し部におけるコネクタを支持する側の面を覆う。
【００１５】
また、本発明に係るワイヤハーネスにおいて、配線具の第２の切り離し部が、基部兼用カバー部及び第３の切り離し部を含む場合、基部兼用カバー部は、一方の面に配置された電線を支持し、第３の切り離し部は、基部兼用カバー部からその外側へはみ出した電線の端部のコネクタを支持する。
【発明の効果】
【００１６】
本発明において、配線具は、電線が配置される基部と、基部との境界線に沿う引き裂き部位を介して基部と繋がって形成された第１の切り離し部とを備え、第１の切り離し部が、基部からはみ出る電線のコネクタを支持する。従って、本発明に係る配線具を備えたワイヤハーネスにおける電線のコネクタは、敷設される前の運搬及び保管の段階において、第１の切り離し部によって保護される。
【００１７】
また、本発明に係る配線具において、第１の切り離し部の引き裂き部位が裂かれるだけで、第１の切り離し部は基部から切り離される。即ち、本発明に係る配線具において、基部のみが、電線を支持する用具として最終的に残される部分である。これにより、電線のコネクタは、基部の外側にはみ出す状態、即ち、手に持って操作することが容易な状態となる。
【００１８】
また、ワイヤハーネスが敷設される前の段階では、コネクタ支持部が形成された第１の切り離し部は、電線を支持する基部と繋がっているため、電線及びコネクタを保護するための部品の点数は少ない。さらに、基部に繋がった切り離し部にコネクタを支持させ、その後、切り離し部を基部から切り離す作業は、コネクタごとに保護部材を取り付け及び取り外しする作業に比べ簡易である。
【００１９】
以上に示したように、本発明によれば、電線を予め定められた経路に沿って保持し、また、保護する配線具を備えるワイヤハーネスにおいて、少ない部品点数で、かつ、簡易な作業により、配線具からはみ出るコネクタを有する電線を保護できる。
【００２０】
また、本発明において、配線具が、基部及び第１の切り離し部を覆うとともに、基部からの切り離しが可能な第２の切り離し部を有していれば、電線及びコネクタの保護がより確実となる。即ち、運搬及び保管の段階において、電線及びコネクタは、基部及び第１の切り離し部と第２の切り離し部とによって挟まれるようにして、両側において保護される。
【００２１】
また、本発明において、配線具の第２の切り離し部が、基部に相当する基部兼用カバー部と、第１の切り離し部に相当する第３の切り離し部とを有していればさらに好適である。この場合、基部側及び基部兼用カバー部側の２組のワイヤハーネスを集積度の高い状態で運搬及び保管することができる。また、第２の切り離し部が、基部を覆うカバー及び２つ目の基部として兼用されるので無駄がない。
【００２２】
また、前記第１切り離し部及び前記第２切り離し部のうちの一方及び他方に起立部及び貫通孔が形成され、起立部の一部に形成された掛かり部と貫通孔の縁部とが抜け止め機構を構成していればさらに好適である。この場合、第２の切り離し部は、起立部により、基部及び第１の切り離し部に支持された電線及びコネクタを覆う状態で保持され、第２の切り離し部による電線及びコネクタの保護がより確実となる。また、第２の切り離し部を電線及びコネクタを覆う状態で保持する部品である起立部が、配線具の一部に形成されているため、部品点数が少なくて済む。
【図面の簡単な説明】
【００２３】
【図１】本発明の第１実施形態に係る配線具１の３面図である。
【図２】配線具１における第１電線支持機構１００Ａの第１の状態の斜視図である。
【図３】配線具１における第１電線支持機構１００Ａの第２の状態の斜視図である。
【図４】電線を支持する第１電線支持機構１００Ａの断面図である。
【図５】配線具１における第２電線支持機構１００Ｂの斜視図である。
【図６】電線を支持する第１電線支持機構１００Ａの正面図である。
【図７】配線具１におけるカバー保持機構の斜視図である。
【図８】配線具１における内側コネクタ支持部及びコネクタの斜視図である。
【図９】本発明の第１実施形態に係るワイヤハーネス３の第１の状態の３面図である。
【図１０】ワイヤハーネス３の第２の状態の３面図である。
【図１１】ワイヤハーネス３の一部であるワイヤハーネス本体部３０の３面図である。
【図１２】配線具１において採用可能な第１の例に係る電線支持機構の平面図である。
【図１３】配線具１において採用可能な第２の例に係る電線支持機構の平面図である。
【図１４】配線具１において採用可能な第３の例に係る電線支持機構の平面図及び断面図である。
【図１５】配線具１において採用可能な第４の例に係る電線支持機構の平面図及び断面図である。
【図１６】配線具１において採用可能な第５の例に係る電線支持機構の平面図である。
【図１７】本発明の第２実施形態に係るワイヤハーネス３Ａの第１の状態の平面図である。
【図１８】ワイヤハーネス３Ａの第２の状態の３面図である。
【図１９】配線具１，１Ａに適用可能な第６の例に係る電線支持機構の斜視図である。
【図２０】配線具１，１Ａに適用可能な第７の例に係る電線支持機構の斜視図である。
【発明を実施するための形態】
【００２４】
以下、添付の図面を参照しながら、本発明の実施形態について説明する。以下の実施形態は、本発明を具体化した一例であり、本発明の技術的範囲を限定する事例ではない。
【００２５】
＜第１実施形態＞
＜配線具＞
まず、図１から図８を参照しつつ、本発明の第１実施形態に係る配線具１の構成について説明する。なお、図１（ａ）は配線具１の平面図、図１（ｂ）は配線具１の正面図、図１（ｃ）は配線具１の側面図である。また、図１において、便宜上、貫通孔の部分には網点模様が描かれ、突出した部分には網線模様が描かれているが、実際の配線具１に網点模様及び網線模様が描かれているわけではない。
【００２６】
配線具１は、板状の樹脂部材が加工されることにより得られる部材であり、電線を予め定められた経路に沿う状態に保持する部材である。配線具１は、例えば、ポリプロピレン（ＰＰ）又はポリアミド（ＰＡ）などの樹脂の部材である。なお、配線具１は、その一部が、一の面に配置された電線を跨ぐように曲げられることにより電線を支持する。
【００２７】
図１に示されるように、配線具１は、平坦な基部１０Ａと、その基部１０Ａから突出したガイド部１５と、基部１０Ａの外縁に繋がるコネクタ用切り離し部１０Ｂと、基部１０Ａの外縁に繋がるカバー用切り離し部２０と、基部１０Ａの外縁に繋がる補足切り離し部１０Ｃと、を有している。また、基部１０Ａには、電線が配置される配線部１１が含まれる。
【００２８】
以下、基部１０Ａ、コネクタ用切り離し部１０Ｂ及び補足切り離し部１０Ｃを総称して、基盤側部１０と称する。なお、図１において、便宜上、配線部１１が占める領域を表す二点鎖線が描かれているが、必ずしも実際の配線具１に二点鎖線が描かれているわけではない。
【００２９】
＜ガイド部＞
配線具１において、ガイド部１５は、真空成形により形成された部分であり、配線部１１の一部に沿って突出して形成された部分である。なお、ガイド１５は、基部１０Ａから起立して形成された筒状の部分であってもよい。
【００３０】
配線具１がガイド部１５を有することにより、電線９を配線部１１に沿って配置する作業が容易となる。特に、ガイド部１５は、電線９の分岐部が配置される配線部１１の一部に沿って形成されていることが望ましい。真空成形によってガイド部１５を形成する装置及び工程は、射出成形によって突起したガイド部を有する樹脂部材を成形する装置及び工程よりも簡易に実現できる。
【００３１】
＜基部＞
また、配線具１の基部１０Ａには、複数の電線支持機構１００と、複数のクランプ用孔１６とが設けられている。クランプ用孔１６は、例えば、基部１０Ａの外縁部分などにおける複数の箇所に形成された貫通孔である。これらクランプ用孔１６は、配線具１を車両の金属パネル又は樹脂製のパネルなどの支持体の定位置に固定するための固定用部品であるクランプが通される貫通孔である。
【００３２】
図１に示されるように、電線支持機構１００は、基部１０Ａにおける配線部１１の一部を挟む両側に形成された架設部１２と留め孔１３とにより構成されている。本実施形態において、配線具１は、２種類の電線支持機構１００を備えている。以下、２種類の電線支持機構１００を区別する場合、一方を第１電線支持機構１００Ａ、他方を第２電線支持機構１００Ｂと称する。本実施形態において、第１電線支持機構１００Ａ及び第２電線支持機構１００Ｂは、一部の構成は異なるが、基本的な構成は同じである。
【００３３】
第１電線支持機構１００Ａは、配線部１１の一部の両側に形成された架設部１２Ａ及び留め孔１３Ａの部分からなる。第２電線支持機構１００Ｂは、配線部１１の一部の両側に形成された架設部１２Ｂ及び留め孔１３Ｂの部分からなる。
【００３４】
図２は、電線支持機構１００（第１電線支持機構１００Ａ）の原形の状態を示す斜視図である。また、図３は、架設部１２が曲げられた状態における電線支持機構１００（第１電線支持機構１００Ａ）の斜視図である。また、図５は、架設部１２が曲げられた状態における電線支持機構１００（第２電線支持機構１００Ｂ）の斜視図である。図３及び図５において、配線部１１に配置される電線９が、仮想線（二点鎖線）により描かれている。
【００３５】
図２に示されるように、架設部１２は、基部１０Ａにおける配線部１１の一部の両側のうちの第１の側において基部１０Ａの配線部１１と繋がる根元部１２１以外は一連の切り目１２０によって他の部分から分離して形成された部分である。架設部１２を縁取る一連の切り目１２０は、例えば、トムソン加工などによって形成される。また、架設部１２は、配線部１１の両側のうちの第２の側へ曲げ変形可能な部分である。
【００３６】
図２に示されるように、電線支持機構１００の原形の状態において、架設部１２は、基部１０Ａにおける他の部分と同様に平坦に形成されている。そして、図３に示されるように、架設部１２が基部１０Ａにおける他の部分から起立するように曲げられると、元々架設部１２が存在した部分、即ち、一連の切り目１２０の内側の部分に架設部１２と同じ形状の貫通孔１２４が残される。
【００３７】
また、電線支持機構１００を構成する留め孔１３は、配線部１１の一部の両側のうちの第２の側に形成され、架設部１２の一部がその先端１２２から挿入される貫通孔である。なお、第１の側及び第２の側の区分は、便宜上の区分であり、架設部１２及び留め孔１３の間に位置する配線部１１に対し、架設部１２が形成されている側が第１の側であり、留め孔１３が形成されている側が第２の側である。
【００３８】
また、架設部１２の一部と留め孔１３の縁部とは、留め孔１３からの架設部１２の抜けを妨げる抜け止め機構を構成している。図２及び図３に示されるように、本実施形態における抜け止め機構は、留め孔１３の縁部の一部として形成された突起部１３１と、架設部１２の一部に形成され留め孔１３の突起部１３１に引っ掛かる貫通孔である抜け止め孔１２３とにより構成されている。なお、抜け止め孔１２３は、留め孔１３の縁部に引っ掛かる掛かり部の一例である。
【００３９】
本実施形態において、第１電線支持機構１００Ａの架設部１２Ａは、比較的細いベルト状に形成され、その可撓性により曲げ変形可能な部分である。一方、第２電線支持機構１００Ｂの架設部１２Ｂは、電線を広範囲に亘って保護するために、第１電線支持機構１００Ａの架設部１２Ａよりも広い幅で形成されている。
【００４０】
また、図１及び図５に示されるように、第２電線支持機構１００Ｂの架設部１２Ｂには、それを横断する線に沿って他の部分よりも折り曲がりやすく構成された屈曲対象部１２６が形成されている。屈曲対象部１２６は、例えば、架設部１２Ｂにおいて、それを横断して破線状に並ぶ複数の切り目が形成された部分である。また、屈曲対象部１２６が、架設部１２Ｂを横断する溝であることも考えられる。図１及び図５に示される例では、２本の屈曲対象部１２６が架設部１２Ｂに形成されているが、１本の屈曲対象部１２６又は３本以上の屈曲対象部１２６が形成されることも考えられる。
【００４１】
図５に示されるように、第２電線支持機構１００Ｂの架設部１２Ｂは、屈曲対象部１２６に沿って曲げられることにより、電線９の周囲に沿ってその部分を跨ぐように曲げられる。
【００４２】
また、第１電線支持機構１００Ａにおいては、複数の抜け止め孔１２３が、架設部１２Ａにおける留め孔１３Ａへの挿入方向に沿う複数の箇所に並んで形成されている。そのため、留め孔１３Ａの縁部における突起部１３１と引っ掛かる抜け止め孔１２３を選択することにより、架設部１２Ａにおけるその根元部１２１から留め孔１３Ａへ亘る部分の長さを調節することが可能である。
【００４３】
一方、第２電線支持機構１００Ｂにおいては、複数の留め孔１３Ｂが、配線部１１に沿う複数の位置に形成されている。また、架設部１２Ｃの先端部分には、複数の留め孔１３Ｂ各々に挿入される複数の挿入片１２５が形成されている。そして、複数の挿入片１２５各々に、留め孔１３Ｂ各々の縁部における突起部１３１に引っ掛かる抜け止め孔１２３が形成されている。
【００４４】
なお、第２電線支持機構１００Ｂの架設部１２Ｂにおいて、抜け止め孔１２３は、留め孔１３Ｂへの挿入方向における１箇所にのみ形成されている。そのため、第２電線支持機構１００Ｂは、架設部１２Ｂにおける電線９に跨る部分の長さを調節する機能を備えていない。
【００４５】
図４は、電線９を支持する第１電線支持機構１００Ａの断面図である。図４に示されるように、第１電線支持機構１００Ａにおいて、架設部１２Ａは、留め孔１３Ａの縁部及び抜け止め孔１２３からなる抜け止め機構の作用により、電線９が配置される配線部１１の一部とともに電線９の周囲を取り囲む状態で保持される。そして、第１電線支持機構１００Ａは、電線９の一部を配線部１１の一部とともに支持する。第２電線支持機構１００Ｂも、第１電線支持機構１００Ａと同様に、電線９の一部を配線部１１の一部とともに支持する。
【００４６】
図４に示されるように、第１電線支持機構１００Ａの架設部１２Ａは、従来のワイヤハーネスにおける電線の結束材として機能する。即ち、配線具１が取り付けられる電線９は、一つの部品の一部に形成された架設部１２Ａ及び配線部１１の一部によって一部が取り囲まれ、これにより、電線９は、予め定められた経路に沿って保持される。
【００４７】
以上に示したように、電線支持機構１００において、架設部１２は、抜け止め機構により、その一部が留め孔１３に挿入された状態で保持される。しかしながら、架設部１２が留め孔１３から抜けることをより確実に防止するために、留め孔１３に通された架設部１２の先端部分が、基部１０Ａに対して固着されることも考えられる。
【００４８】
図６は、電線９を支持する電線支持機構１００の正面図である。図６に示される例では、留め孔１３に通された架設部１２の先端部分は、超音波溶接などによって基部１０Ａに対して溶着されている。架設部１２は、抜け止め機構によって留め孔１３に挿入された状態で予め保持されているため、架設部１２を基部１０Ａに固着する作業は容易である。
【００４９】
また、図１に示されるように、配線具１の基部１０Ａには、その一部に基部１０Ａの向きを表すマーク１７が記されている。図１に示される例では、矢印形状のマーク１７が、基部１０Ａの角部に記されている。マーク１７は、例えば、インクの転写、加熱もしくは加圧による刻印などによって配線具１に形成される。
【００５０】
基部１０Ａは、電線９を保持する状態で支持体に取り付けられる際に、マーク１７が表す向きが予め定められた向きと一致するように支持体に取り付けられる。
【００５１】
また、基部１０Ａの外縁部と配線部１１とが重なる部分の一部には、内側コネクタ支持部１４が形成されている。この内側コネクタ支持部１４は、配線部１１に配置された電線９の端部のコネクタを支持し、そのコネクタを基部１０Ａの外縁部に固定する部分である。
【００５２】
図８は、内側コネクタ支持部１４及び電線９の端部のコネクタ９１の斜視図である。図８に示されるように、コネクタ９１には、内側コネクタ支持部１４の一部が嵌り込む隙間部を形成するガイドレール部９１１と、ガイドレール部９１１の隙間の部分に位置する突起部９１２とが形成されている。
【００５３】
一方、内側コネクタ支持部１４は、コネクタ９１におけるガイドレール部９１１の隙間に嵌り込む嵌入片１４１を有する。嵌入片１４１は、基部１０Ａの縁部に形成された一対の切り込みの間の部分である。また、嵌入片１４１には、嵌入片１４１がコネクタ９１のガイドレール部９１１の隙間に嵌め入れられたときに、コネクタ９１の突起部９１２が嵌り込む孔１４２が形成されている。嵌入片１４１がコネクタ９１のガイドレール部９１１の隙間に嵌め入れられることにより、コネクタ９１は、基部１０Ａの外縁部に固定される。
【００５４】
＜コネクタ用切り離し部＞
配線具１におけるコネクタ用切り離し部１０Ｂは、基部１０Ａとの境界線に沿って他の部分よりも引き裂きやすく構成された引き裂き部位１０１を介して基部１０Ａと繋がって形成された部分である。コネクタ用切り離し部１０Ｂの外縁を形成する引き裂き部位１０１は、例えば、基部１０Ａとの境界部分を横断して破線状に並ぶ複数の切り目が形成された部分である。
【００５５】
また、コネクタ用切り離し部１０Ｂには、外側コネクタ支持部１８が形成されている。外側コネクタ支持部１８は、基部１０Ａに電線９が配置された場合に、基部１０Ａからその外側へはみ出す電線９の端部のコネクタ９１を支持する部分である。図１に示される例では、外側コネクタ支持部１８は、コネクタ９１が嵌め入れられる中空部を囲う壁状の突起部である。
【００５６】
なお、外側コネクタ支持部１８が、内側コネクタ支持部１４と同様に、コネクタ９１にけるガイドレール部９１１の隙間に嵌め入れられる嵌入片を有する部分であることも考えられる。後述するように、外側コネクタ支持部１８は、配線具１を備えるワイヤハーネスが敷設される前の段階においてのみ使用される部分、即ち、コネクタ９１の仮止め機構である。そのため、外側コネクタ支持部１８の嵌入片には、内側コネクタ支持部１４における嵌入片１４１の孔１４２に相当する孔は形成されなくてよい。
【００５７】
＜カバー用切り離し部＞
配線具１において、カバー用切り離し部２０は、基部１０Ａとの境界線に沿って他の部分よりも引き裂きやすく構成された引き裂き部位２２１を介して基部１０Ａと繋がって形成された板状の部分である。カバー用切り離し部２０は、その一部が曲げられることにより基部１０Ａにおける電線９が配置される側の面及びコネクタ用切り離し部１０Ｂにおけるコネクタ９１を支持する側の面を覆う。
【００５８】
より具体的には、カバー用切り離し部２０は、引き裂き部位２２１を介して基部１０Ａに繋がる連結部２２と、連結部２２に繋がるカバー部２１とを有している。連結部２２は、それを横断する線に沿って他の部分よりも折り曲がりやすく構成された屈曲対象部２２２が形成されている。屈曲対象部２２２は、例えば、連結部２２において、それを横断して破線状に並ぶ複数の切り目が形成された部分である。また、屈曲対象部２２２が、連結部２２を横断する溝であることも考えられる。
【００５９】
カバー部２１は、連結部２２が引き裂き部位２２１及び屈曲対象部２２に沿って曲げられることにより、基部１０Ａにおける電線９が配置される側の面及びコネクタ用切り離し部１０Ｂにおけるコネクタ９１を支持する側の面を覆う部分である。
【００６０】
＜カバー保持機構＞
また、コネクタ用切り離し部１０Ｂ及びカバー部２１には、連結部２２が曲げられることによって相互に対向する状態となる基盤側部１０及びカバー用切り離し部２０を、相互に対向する状態のまま保持するカバー保持機構が形成されている。より具体的には、カバー保持機構は、コネクタ用切り離し部１０Ｂ及びカバー用切り離し部２０のうちの一方に形成された起立部２３と、他方に形成された貫通孔である留め孔１９の縁部とにより構成されている。本実施形態においては、起立部２３がカバー部２１に形成され、留め孔１９がコネクタ用切り離し部１０Ｂに形成されている。
【００６１】
なお、起立部２３がコネクタ用切り離し部１０Ｂに形成され、留め孔１９がカバー部２１に形成されていてもかまわない。以下、起立部２３がカバー部２１に形成されている例について説明するが、逆の場合でも同様である。
【００６２】
図７は、配線具１におけるカバー保持機構の斜視図である。図７に示されるように、起立部２３は、カバー部２１においてその一部である根元部２３１以外は一連の切り目２３０により他の部分から分離して形成された部分である。そのため、起立部２３は、根元部２３１で折り曲げて起立させることが可能である。起立部２３の根元部２３１が折り曲げられると、元々起立部２３が存在した部分に貫通孔２３４が形成される。なお、切り目２３０は、例えば、トムソン加工などによって形成される。
【００６３】
また、起立部２３の先端部には、留め孔１９に挿入される掛かり部２３２が形成され、起立部２３における掛かり部２３２よりも根元側にはストッパ２３３が形成されている。掛かり部２３２は、留め孔１９の幅（直径）よりもやや大きな幅で形成され、ストッパ２３３は、掛かり部２３２の幅よりも大きな幅で形成されている。
【００６４】
一方、留め孔１９は、コネクタ用切り離し部１０Ｂに形成され、コネクタ用切り離し部１０Ｂ及びカバー用切り離し部２０が対向する状態において起立部２３の掛かり部２３２が挿入される貫通孔である。起立部２３の掛かり部２３２は、留め孔１９に挿入されることによって留め孔１９の縁部の裏側に引っ掛かり、留め孔１９の縁部は、掛かり部２３２とストッパ２３３との間に保持される。そのため、基盤側部１０及びカバー用切り離し部２０は、相互に対向する状態のまま保持される。なお、掛かり部２３２と留め孔１９の縁部とは、留め孔１９に挿入された起立部２３が留め孔１９から抜けることを妨げる抜け止め機構の一例である。
【００６５】
＜補足切り離し部＞
補足切り離し部１０Ｃは、コネクタ用切り離し部１０Ｂと同様に、基部１０Ａとの境界線に沿って他の部分よりも引き裂きやすく構成された引き裂き部位１０１を介して基部１０Ａと繋がって形成された部分である。但し、補足切り離し部１０Ｃには、コネクタ９１を支持する部分は形成されていない。
【００６６】
＜ワイヤハーネス＞
次に、図９から図１１を参照しつつ、本発明の第１実施形態に係るワイヤハーネス３の構成について説明する。ワイヤハーネス３は、電線９及びその電線９を支持する配線具１を備えている。図９は、配線具１におけるカバー用切り離し部２０が開かれた第１状態におけるワイヤハーネス３の図である。また、図１０は、配線具１におけるカバー用切り離し部２０が基盤側部１０側へ閉じられた第２状態におけるワイヤハーネス３の図である。また、図９（ａ）は、第１状態におけるワイヤハーネス３の平面図、図９（ｂ）は、第１状態におけるワイヤハーネス３の正面図、図９（ｃ）は、第１状態におけるワイヤハーネス３の側面図である。また、図１０（ａ）は、第２状態におけるワイヤハーネス３の平面図、図１０（ｂ）は、第２状態におけるワイヤハーネス３の正面図、図１０（ｃ）は、第２状態におけるワイヤハーネス３の側面図である。
【００６７】
なお、図９及び図１０において、便宜上、貫通孔の部分には網点模様が描かれ、突出した部分には網線模様が描かれているが、実際のワイヤハーネス３に網点模様及び網線模様が描かれているわけではない。
【００６８】
図９及び図１０に示されるように、ワイヤハーネス３は、電線９と、配線具１とを備えている。前述したように、電線９の端部にはコネクタ９１が設けられている。
【００６９】
図９に示されるように、配線具１上において、電線９は、ガイド部１５に沿って配置され、これにより、電線９は、予め定められた経路に沿う状態、即ち、図１に示された配線部１１に沿う状態で配置されている。
【００７０】
また、配線具１において、電線支持機構１００の架設部１２は、電線９の周囲に沿って曲げられている。さらに、架設部１２は、抜け止め孔１２３の部分において留め孔１３の縁部における突起部１３１と引っ掛かり、配線部１１とともに電線９の周囲を取り囲む状態で保持されている。
【００７１】
ワイヤハーネス３において、配線具１は、電線９を予め定められた経路に沿う状態で保持する。また、配線具１における基盤側部１０及びカバー用切り離し部２０は、電線９（コネクタ９１を含む）をその両側から覆うことにより、電線９が、他の部材と接触したり、コネクタ９１の部分において他の部材に引っ掛かることによって破損することを防止する。
【００７２】
また、ワイヤハーネス３において、ガイド部１５は、電線９の位置を規制する機能を果たすとともに、基盤側部１０とカバー用切り離し部２０との間隔を保持するスペーサとしての機能も果たしている。
【００７３】
ワイヤハーネス３に設けられた配線具１において、基部１０Ａ以外の部分は、ワイヤハーネス３が敷設される前に、引き裂き部位１０１，２２１が引き裂かれることによって基部１０Ａから切り離される。以下、ワイヤハーネス３において、配線具１の基部１０Ａ以外の部分が基部１０Ａから切り離された残りの部分を、ワイヤハーネス本体部３０と称する。
【００７４】
図１１は、ワイヤハーネス３の一部であるワイヤハーネス本体部３０の３面図である。図１１（ａ）はワイヤハーネス本体部３０の平面図、図１１（ｂ）はワイヤハーネス本体部３０の正面図、図１１（ｃ）はワイヤハーネス本体部３０の側面図である。なお、図１１において、便宜上、貫通孔の部分には網点模様が描かれ、突出した部分には網線模様が描かれているが、実際のワイヤハーネス本体部３０に網点模様及び網線模様が描かれているわけではない。
【００７５】
ワイヤハーネス３において、配線具１におけるコネクタ用切り離し部１０Ｂ、補足切り離し部１０Ｃ及びカバー用切り離し部２０が基部１０Ａから引き裂き部位１０１，２２１に沿って切り離されると、図１１に示されるワイヤハーネス本体部３０が残る。そして、ワイヤハーネス本体部３０が、車両内などにおける目的の場所に敷設される。
【００７６】
ワイヤハーネス本体部３０は、例えば、車両における座席シートの下方のスペース、天井裏のスペース又はトランクルームなどに取り付けられる。ワイヤハーネス本体部３０において、複数の電線９は、予め定められた形状に保持された状態で、配線具１の基部１０Ａによって一体にユニット化されている。そのため、ワイヤハーネス本体部３０は、クランプを用いて簡易に所定の位置に取り付けられる。
【００７７】
次に、図１２から図１６を参照しつつ、配線具１において採用可能な電線支持機構の他の例について説明する。
【００７８】
図１２は、配線具１において採用可能な第１の例に係る電線支持機構の平面図である。図１から図５に示された電線支持機構１００において、架設部１２は、一連の切り目１２０によって根元部１２１以外の部分が他の部分から分離するよう形成されている。一方、図１２に示される例では、架設部１２が、基部１０Ａの縁部に形成されることにより、根元部１２１以外の部分が他の部分から分離して形成されている。図１２に示される電線支持機構も、配線具１において採用可能である。
【００７９】
なお、図１２に示される例は、第１電線支持機構１００Ａの一例であるが、同様の構成が第２電線支持機構１００Ｂに採用されてもよい。
【００８０】
図１３は、配線具１において採用可能な第２の例に係る電線支持機構の平面図である。図１から図５に示された電線支持機構１００において、架設部１２の抜け止め機構は、架設部１２に形成された抜け止め孔１２３と、留め孔１３の縁部の一部である突起部１３１とにより構成されている。
【００８１】
一方、図１３に示される電線支持機構における抜け止め機構は、架設部１２における幅方向の外縁において外側に張り出した張出部１２３Ａと、留め孔１３の縁部とにより構成される。架設部１２の張出部１２３Ａの部分の幅は、留め孔１３の幅よりも大きく形成されている。そして、架設部１２が留め孔１３に挿入されると、張出部１２３Ａは、収縮しつつ留め孔１３を通過した後、留め孔１３の縁部の裏側に引っ掛かる。図１３に示される電線支持機構も、配線具１において採用可能である。
【００８２】
なお、図１３に示される例は、第１電線支持機構１００Ａの一例であるが、同様の構成が第２電線支持機構１００Ｂに採用されてもよい。
【００８３】
図１４は、配線具１において採用可能な第３の例に係る電線支持機構の平面図及び断面図である。なお、図１４（ａ）が平面図、図１４（ｂ）が、図１４（ａ）に示されるＤ−Ｄ面における断面図である。
【００８４】
図１４に示される電線支持機構における抜け止め機構は、架設部１２においてその厚み方向に突出した突出部１２３Ｂと、留め孔１３の縁部とにより構成される。架設部１２における突出部１２３Ｂの部分の厚みは、留め孔１３の高さよりも大きく形成されている。そして、架設部１２が留め孔１３に挿入されると、突出部１２３Ｂは、収縮しつつ留め孔１３を通過した後、留め孔１３の縁部の裏側に引っ掛かる。架設部１２の突出部１２３Ｂは、例えば、真空成形によって形成される。図１４に示される電線支持機構も、配線具１において採用可能である。
【００８５】
なお、図１４に示される例は、第１電線支持機構１００Ａの一例であるが、同様の構成が第２電線支持機構１００Ｂに採用されてもよい。
【００８６】
図１５は、配線具１において採用可能な第４の例に係る電線支持機構の平面図である。図１５に示された第２電線支持機構１００Ｂにおいて、架設部１２Ｂの抜け止め機構は、架設部１２Ｂにおける幅方向の外縁において外側に張り出した張出部１２３Ｃと、留め孔１３Ｂの縁部とにより構成される。架設部１２Ｂの張出部１２３Ｃの部分の幅は、留め孔１３Ｂの幅よりも大きく形成されている。そして、架設部１２Ｂの先端部が留め孔１３Ｂに挿入されると、張出部１２３Ｃは、収縮しつつ留め孔１３Ｂを通過した後、留め孔１３Ｂの縁部の裏側に引っ掛かる。図１５に示される電線支持機構も、配線具１において採用可能である。
【００８７】
図１６は、配線具１において採用可能な第５の例に係る電線支持機構の平面図である。図１６に示された第２電線支持機構１００Ｂにおいて、架設部１２Ｂの抜け止め機構は、架設部１２Ｂの先端部に形成された複数の矢印形状の挿入片１２３Ｄと、各挿入片１２３Ｄが挿入される複数の留め孔１３の縁部とにより構成される。各挿入片１２３Ｄの最大幅は、留め孔１３の幅よりも大きく形成されている。そして、挿入片１２３Ｄが留め孔１３に挿入されると、挿入片１２３Ｄは、収縮しつつ留め孔１３を通過した後、最も幅の広い部分において留め孔１３Ｂの縁部の裏側に引っ掛かる。図２１に示される電線支持機構も、配線具１において採用可能である。
【００８８】
＜効果＞
配線具１は、電線９が配置される基部１０Ａと、基部１０Ａとの境界線に沿う引き裂き部位１０１を介して基部１０Ａと繋がって形成されたコネクタ用切り離し部１０Ｂとを備え、コネクタ用切り離し部１０Ｂが、基部１０Ａからはみ出る電線９のコネクタ９１を支持する。従って、配線具１を備えたワイヤハーネス３において、電線９のコネクタ９１は、敷設される前の運搬及び保管の段階において、コネクタ用切り離し部１０Ｂによって保護される。
【００８９】
また、配線具１において、各引き裂き部位１０１，２２１が裂かれるだけで、コネクタ用切り離し部１０Ｂ、補足切り離し部１０Ｃ及びカバー用切り離し部２０は、基部１０Ａから切り離される。即ち、配線具１において、基部１０Ａのみが、電線９を支持する用具として最終的に残される部分である。配線具１における基部１０Ａ以外の部分が切り離された残りのワイヤハーネス本体部３０において、電線９のコネクタ９１は、基部１０Ａの外側にはみ出す状態、即ち、手に持って操作することが容易な状態となる。
【００９０】
また、ワイヤハーネス３が敷設される前の段階では、コネクタ用切り離し部１０Ｂは、電線９を支持する基部１０Ａと繋がっているため、電線９及びコネクタ９１を保護するための部品の点数は少ない。さらに、基部１０Ａに繋がったコネクタ用切り離し部１０Ｂにコネクタ９１を支持させ、その後、コネクタ用切り離し部１０Ｂ等を基部１０Ａから切り離す作業は、コネクタ９１ごとに保護部材を取り付け及び取り外しする作業に比べ簡易である。
【００９１】
以上に示したように、配線具１を備えたワイヤハーネス３が採用されれば、少ない部品点数で、かつ、簡易な作業により、配線具１からはみ出るコネクタ９１を有する電線９を保護できる。
【００９２】
また、配線具１において、カバー用切り離し部２０が、基部１０Ａ及びコネクタ用切り離し部１０Ｂを覆う。そのため、ワイヤハーネス３の運搬及び保管の段階において、電線９及びコネクタ９１は、基部１０Ａ及びコネクタ用切り離し部１０Ｂとカバー用切り離し部２０とによって挟まれるようにして両側において保護され、電線９及びコネクタ９１の保護がより確実となる。
【００９３】
また、配線具１において、その一部に形成された起立部２３及び留め孔１９の部分からなるカバー保持機構が、基部１０Ａ及びコネクタ用切り離し部１０Ｂに支持された電線９及びコネクタ９１を覆う状態で保持するため、カバー用切り離し部２０による電線９及びコネクタ９１の保護がより確実となる。また、カバー保持機構が、配線具１の一部に形成されているため、部品点数が少なくて済む。
【００９４】
＜第２実施形態＞
次に、図１７及び図１８を参照しつつ、本発明の第２実施形態に係る配線具１Ａ及びそれを備えたワイヤハーネス３Ａについて説明する。この第２実施形態に係る配線具１Ａは、図１に示された配線具１と比較して、カバー用切り離し部２０の構成のみが異なる。図１７及び図１９において、図１から図１６に示される構成要素と同じ構成要素は、同じ参照符号が付されている。以下、配線具１Ａ及びワイヤハーネス３Ａにおける配線具１及びワイヤハーネス３と異なる点についてのみ説明する。
【００９５】
なお、図１７は、配線具１Ａのカバー用切り離し部２０Ａが開かれた状態におけるワイヤハーネス３Ａの平面図、図１８は、配線具１Ａのカバー用切り離し部２０Ａが基部１０Ａ側へ閉じられた状態におけるワイヤハーネス３Ａの３面図である。また、図１８（ａ）は、ワイヤハーネス３Ａの平面図、図１８（ｂ）はワイヤハーネス３Ａの正面図、図１８（ｃ）はワイヤハーネス３Ａの側面図である。また、図１７及び図１８において、便宜上、貫通孔の部分には網点模様が描かれ、突出した部分には網線模様が描かれているが、実際のワイヤハーネス３Ａに網点模様及び網線模様が描かれているわけではない。
【００９６】
配線具１Ａにおいて、カバー用切り離し部２０Ａは、連結部２２と、基部兼用カバー部２１Ａと、コネクタ用切り離し部２１Ｂと、補足切り離し部１０Ｃとを備える。
【００９７】
基部兼用カバー部２１Ａは、一方の面において電線９が配置される板状の部分である。ワイヤハーネス３Ａは、前述したカバー保持機構により、基部兼用カバー部２１Ａ、コネクタ用切り離し部２１Ｂ及び補足切り離し部１０Ｃは、基部１０Ａにおける電線９が配置される側の面及びコネクタ用切り離し部１０Ｂにおけるコネクタ９１を支持する側の面を覆う状態で保持される。その状態において、連結部２２の部分は曲げられた状態である。
【００９８】
また、コネクタ用切り離し部２１Ｂ及び補足切り離し部２１Ｃは、基部兼用カバー部２１Ａとの境界線に沿って他の部分よりも引き裂きやすく構成された引き裂き部位２０１を介して基部兼用カバー部２１Ａと繋がって形成された部分である。
【００９９】
また、コネクタ用切り離し部２１Ｂには、基部兼用カバー部２１Ａからはみ出す電線９の端部のコネクタ９１を支持する外側コネクタ支持部１８が形成されている。これにより、ワイヤハーネス３Ａにおいて、コネクタ用切り離し部２１Ｂは、外側コネクタ支持部１８の部分において、基部兼用カバー部２１Ａからその外側へはみ出した電線９の端部のコネクタ９１を支持する。
【０１００】
図１７及び図１８に示される例では、カバー用切り離し部２０Ａにおける基部兼用カバー部２１Ａ及びコネクタ用切り離し部２１Ｂは、基盤側部１０における基部１０Ａ及びコネクタ用切り離し部１０Ｂと同じ構成要素を備えている。
【０１０１】
＜効果＞
ワイヤハーネス３Ａにおいて、配線具１Ａのカバー用切り離し部２０Ａは、基部１０Ａに相当する基部兼用カバー部２１Ａと、基部１０Ａ側のコネクタ用切り離し部１０Ｂに相当するコネクタ用切り離し部２１Ｂとを有している。ワイヤハーネス３Ａが採用されることにより、基部１０Ａ側及び基部兼用カバー部２１Ａ側の２組のワイヤハーネスを集積度の高い状態で運搬及び保管することができる。また、カバー用切り離し部２０Ａが、基部１０Ａを覆うカバー及び２つ目の基部として兼用されるので無駄がない。
【０１０２】
＜電線支持機構の他の例＞
次に、図１９及び図２０を参照しつつ、配線具１，１Ａに適用可能な第６の例及び第７の例に係る電線支持機構について説明する。図１９は、第６の例に係る電線支持機構の斜視図である。また、図２０は、第７の例に係る電線支持機構の斜視図である。
【０１０３】
配線具１，１Ａに適用可能な電線支持機構は、図１９及び図２０に示されるように、基部１０Ａに形成された留め孔１３と、配線具１，１Ａとは別部材である架設部材２０Ｃ，２０Ｄとにより構成されてもよい。架設部材２０Ｃ，２０Ｄは、曲げ変形可能な板状の部材であり、その一部が基部１０Ａにおける配線部１１の両側の留め孔１３各々に通されることにより配線部１１を跨ぐ状態で保持される部材である。
【０１０４】
そして、架設部材２０Ｃ，２０Ｄの一部と基部１０Ａにおける留め孔１３の縁部とが、留め孔１３からの架設部材２０Ｃ，２０Ｄの抜けを妨げる抜け止め機構を構成する。図１９及び図２０に示される例は、架設部材２０Ｃ，２０Ｄの一部に形成され留め孔１３の縁部の一部である突起部１３１に引っ掛かる抜け止め孔１２３と、留め孔１３の縁部の突起部１３１とにより構成されている。
【０１０５】
なお、図１９及び図２０に示される電線支持機構において、図１２から図１６に示される抜け止め機構が採用されてもよい。
【０１０６】
＜その他＞
以上に示された各実施形態において、第２電線支持機構１００Ｂが第１電線支持機構１００Ａに置き換えられることも考えられる。また、電線９が、コルゲートチューブなどの保護チューブで覆われた状態で、第１電線支持機構１００Ａによって支持されることも考えられる。
【０１０７】
また、配線具１，１Ａが、ガイド部１５を有さないことも考えられる。ガイド部１５を有さない配線具１，１Ａは、電線９に取り付けられる前の原形の状態において、平坦な部材である。この場合、配線具１，１Ａは、その表裏のいずれの側に電線９を配置させるかにより、電線支持機構１００などの位置関係が反対の２種類の配線具として利用可能である。例えば、車両の運転席の下方に配置されるワイヤハーネスと、助手席の下方に配置されるワイヤハーネスとにおいて、電線の位置関係が左右対称である場合、ガイド部１５を有さない配線具１，１Ａは、運転席用と助手席用とに兼用することができる。
【０１０８】
また、配線具１，１Ａにおいて、配線部１１は、平坦な部分である。しかしながら、配線部１１が、真空成形などによって成形された溝であることも考えられる。
【０１０９】
前述の実施形態では、カバー用切り離し部２０は、基部１０Ａとの境界線に沿って他の部分よりも引き裂きやすく構成された引き裂き部位２２１を介して基部１０Ａと繋がって形成された板状の部分である。しかしながら、カバー用切り離し部２０が、コネクタ用切り離し部１０Ｂと繋がって形成されていてもよい。この場合におけるカバー用切り離し部２０は、コネクタ用切り離し部１０Ｂが引き裂き部位１０１に沿って切り離されることにより、基部１０Ａから分離される。従って、カバー用切り離し部２０におけるコネクタ用切り離し部１０Ｂとの境界線の部分において、引き裂き部位２２１は形成されていなくてもよい。
【符号の説明】
【０１１０】
１，１Ａ  配線具
３，３Ａ  ワイヤハーネス
９  電線
１０  基盤側部
１０Ａ  基部
１０Ｂ，２０Ｂ  コネクタ用切り離し部
１０Ｃ，２０Ｃ  補足切り離し部
１０  基盤部
１１  配線部
１２，１２Ａ，１２Ｂ，１２Ｃ  架設部
１３，１３Ａ，１３Ｂ，１９  留め孔
１４  内側コネクタ支持部
１５  ガイド部
１６  クランプ用孔
１７  マーク
１８  外側コネクタ支持部
２０，２０Ａ  カバー用切り離し部
２０Ｃ，２０Ｄ  架設部材
２１  カバー部
２１Ａ  基部兼用カバー部
２２  連結部
２２  屈曲対象部
２３  起立部
３０  ワイヤハーネス本体部
９１  コネクタ
１００  電線支持機構
１００Ａ  第１電線支持機構
１００Ｂ  第２電線支持機構
１０１，２０１，２２１  引き裂き部位
１２０，２３０  切り目
１２１  架設部の根元部
１２２  架設部の先端
１２３  抜け止め孔
１２３Ａ，１２３Ｃ  張出部
１２３Ｂ  突出部
１２３Ｄ，１２５  挿入片
１２４，２３４  貫通孔
１２６，２２２  屈曲対象部
１３１  突起部
１４１  嵌入片
１４２  孔
２３１  起立部の根元部
２３２  起立部の掛かり部
２３３  起立のストッパ
９１１  コネクタのガイドレール部
９１２  コネクタの突起部
【図１】
2012239354.tif 000003
【図２】
2012239354.tif 000004
【図３】
2012239354.tif 000005
【図４】
2012239354.tif 000006
【図５】
2012239354.tif 000007
【図６】
2012239354.tif 000008
【図７】
2012239354.tif 000009
【図８】
2012239354.tif 000010
【図９】
2012239354.tif 000011
【図１０】
2012239354.tif 000012
【図１１】
2012239354.tif 000013
【図１２】
2012239354.tif 000014
【図１３】
2012239354.tif 000015
【図１４】
2012239354.tif 000016
【図１５】
2012239354.tif 000017
【図１６】
2012239354.tif 000018
【図１７】
2012239354.tif 000019
【図１８】
2012239354.tif 000020
【図１９】
2012239354.tif 000021
【図２０】
2012239354.tif 000022